(57)【要約】  【課題】マルチフィルムが被覆された土壌への薬液供給作業の負担を軽減する。  【解決手段】薬液容器３６に接続される薬液供給路３７、３８と、薬液供給路３８の先端に取り付けられて吐出口２５ａを有するノズル２５と、薬液供給路３７、３８に介設されると共に往復運動により吸引／吐出を行うポンプ３０と、ノズル２５の吐出口２５ａの上方に設けられると共にポンプ３０に連繋された止め板２４と、止め板２４に固定されると共に伸縮手段３３が介設されている支軸部２１、２２とを備え、止め板２４が土壌Ｄ表面のマルチフィルムＦに押圧されることにより、伸縮手段３３で支軸部２１、２２が収縮すると共に止め板２４が押し上げられてポンプ３０が作動し、ノズル２５の吐出口２５ａより薬液を土壌に吐出する。  【選択図】  図１
2005218443.tif 000002
【特許請求の範囲】
【請求項１】
土壌内に薬液を注入する薬液注入機であって、
薬液を貯留している薬液容器に接続される薬液供給路と、
該薬液供給路の先端に取り付けられて吐出口を有するノズルと、
該薬液供給路に介設されると共に往復運動により吸引／吐出を行うポンプと、
上記ノズルの吐出口の上方に設けられると共に上記ポンプに連繋された止め板と、
該止め板に固定されると共に伸縮手段が介設されている支軸部とを備え、
上記ノズルを土壌内に貫通し、上記支軸部を下方に移動させて上記止め板を土壌表面に押圧することにより、上記伸縮手段で上記支軸部が収縮すると共に上記止め板が上方に押し上げられて上記ポンプが作動し、上記ノズルの吐出口より薬液が土壌に吐出される構成としていることを特徴とする薬液注入機。
【請求項２】
上記支軸部には上記伸縮手段の伸縮距離を制限するストッパを設けている請求項１に記載の薬液注入機。
【請求項３】
上記支軸部は、管状の第１支軸部に対して第２支軸部の上側を下方からスライド自在に内嵌しており、
上記ストッパは、上記第２支軸部にスライド自在に外嵌した環状片を調節ネジで位置決め固定し、第２支軸部が第１支軸部内部の上方へスライド収容されながら収縮する際に、上記環状片の上端縁が上記第１支軸部の下端縁に当接して収縮停止する構成としている請求項２に記載の薬液注入機。
【請求項４】
上記第２支軸部は位置決め穴が穿設されていると共に、上記環状片には軸線方向に位置をずらせた複数のネジ穴が穿設されており、上記複数のネジ穴のうちから上記位置決め穴と合致させて調節ネジを貫通固定するネジ穴を選択変更することで、上記ノズルの吐出口より吐出される薬液量を微調整可能としている請求項３に記載の薬液注入機。
【請求項５】
上記支軸部は、第１支軸部と、該第１支軸部に対してスライド自在に取り付けられた第２支軸部とを備え、
上記ストッパは、上記第２支軸部から側方に突出して固定された停止片と、上記第１支軸部から側方に突出したネジ取付部に螺着されたストッパ用ネジとを備え、
上記ストッパ用ネジは先端を上記停止片に向けて空隙をあけた状態で取り付けられ、上記第１支軸部と上記第２支軸部とが相対的にスライドして収縮する際に、上記ストッパ用ネジの先端が上記停止片に当接して収縮停止する構成としている請求項２に記載の薬液注入機。
【請求項６】
上記ノズルは上記止め板と一体としている請求項１乃至請求項５のいずれか１項に記載の薬液注入機。
【請求項７】
上記ノズルは上記止め板と別体とし、上記ノズルは上記伸縮手段より上方位置の支軸部に連繋固定されて、上記止め板の動きに上記ノズルが追従しない構成としている請求項１乃至請求項５のいずれか１項に記載の薬液注入機。
【発明の詳細な説明】
【技術分野】
【０００１】
本発明は、薬液注入機に関し、詳しくは、土壌内へ農薬や薬液肥料等の薬液を注入するものに関する。
【背景技術】
【０００２】
土壌表面にマルチフィルムを被覆して作物の栽培を行っている場合には、単に薬液を散布しただけでは、土壌がマルチフィルムで覆われているために薬液を土壌内に浸透させることができない。そこで、マルチフィルムを通過して薬液を土壌に注入するための装置が種々提供されている。
例えば、図１５に示す薬液注入機１は、薬液タンクＴ内の薬液Ｙを吸入するチューブ３と、チューブ３と薬液流路６との間においてバルブバネＳ１により閉状態に付勢された球バルブＶ１と、薬液流路６に連通したシリンダ４と、シリンダ４内を摺動しバネＳ３により下方に付勢されたピストン５と、ピストン５を昇降させるレバー２と、下端のノズル７ａに吐出孔７ｂを穿設した薬液供給管７と、薬液流路６と薬液供給管７との間においてバルブバネＳ２により閉状態に付勢された球バルブＶ２と、薬液供給管７のノズル７ａの上側に固定された止め板８とを備えている。
【０００３】
上記薬液注入機１では、土壌を被覆するマルチフィルムの上からノズル７ａを突き刺して止め板８がマルチフィルムに当接した状態で、作業者がレバー２を引き上げることにより、ピストン５が上昇してシリンダ４内の薬液Ｙが薬液流路６に流出し、その流出圧により球バルブＶ２を開状態にして吐出孔７ｂより薬液Ｙが土壌内に注入される。そして、レバー２を下げてピストン５を降下させると、その負圧により球バルブＶ１が開状態となると共に球バルブＶ２が閉状態となり、薬液タンクＴ内の薬液Ｙがチューブ３を介して吸入されてシリンダ４内に補給される。
【０００４】
しかしながら、図１５に示す薬液注入機１では、１回の注入毎に作業者がレバー２の操作を行う必要があり、例えば、１０ａ（アール）当たりで約２０００回のレバー２操作が必要となる。通常の作業では、１日当たり７０ａ〜１００ａの範囲の作業を行うため、このレバー操作を伴う薬液Ｙの注入作業は、作業者にとって非常に大きな負担となっている問題がある。
【０００５】
また、図１６は特開２００２−２５３１０６号公報に開示された土壌消毒機９を示し、管理機（図示せず）に連結するための装着用ヒッチ１０と、薬液を貯留する薬液タンク１１と、薬液タンク１１に接続されるチューブ１４と、チューブ１４に介設されるポンプ１３と、チューブ１４の先端側に設けられると共に吐出口１７を有する薬液注入刀１５と、ポンプ１３にチェーン１６を介して接続された接地輪１２とを備えている。
この土壌消毒機９は、薬液注入刀１５を土壌に突き刺したまま管理機で牽引走行することで、接地輪１２の回転数に応じてポンプ１３が作動され、吐出口１７より土壌中に所定量の薬液が注入される。
【０００６】
しかしながら、図１６に示す土壌消毒機９では、畝立てした畑での作業に使用すると畝を崩してしまう問題が発生すると共に、マルチフィルムを被覆した畑での作業に使用するとマルチフィルムを破ってしまう問題が発生する。
【特許文献１】特開２００２−２５３１０６号公報
【発明の開示】
【発明が解決しようとする課題】
【０００７】
本発明は、上記問題に鑑みてなされたもので、土壌への薬液供給を少ない作業負担で行える薬液注入機を提供することを課題としている。
【課題を解決するための手段】
【０００８】
上記課題を解決するため、本発明は、土壌内に薬液を注入する薬液注入機であって、
薬液を貯留している薬液容器に接続される薬液供給路と、
該薬液供給路の先端に取り付けられて吐出口を有するノズルと、
該薬液供給路に介設されると共に往復運動により吸引／吐出を行うポンプと、
上記ノズルの吐出口の上方に設けられると共に上記ポンプに連繋された止め板と、
該止め板に固定されると共に伸縮手段が介設されている支軸部とを備え、
上記ノズルを土壌内に貫通し、上記支軸部を下方に移動させて上記止め板を土壌表面に押圧することにより、上記伸縮手段で上記支軸部が収縮すると共に上記止め板が上方に押し上げられて上記ポンプが作動し、上記ノズルの吐出口より薬液が土壌に吐出される構成としていることを特徴とする薬液注入機を提供している。
また、本発明はマルチフィルムの有無にかかわらず、土壌内へ薬液を注入するのに適用できる。
【０００９】
上記構成とすると、作業者は上記ノズルの土壌への抜き差しを行うだけで、土壌内に簡単に薬液を注入することができ、レバー操作等の特別な操作を不要とすることができる。特に、広い圃場における注入作業では、作業者に掛かる負担を飛躍的に軽減することが可能となる。詳しくは、ノズルを土壌中に突き刺して、止め板を土壌表面に押し当てることで、伸縮手段の収縮により止め板が上方へ移動し、該止め板の移動に伴ってポンプが作動されて、薬液を自動的にノズルから吐出することができる。
【００１０】
なお、上記止め板がバネで下方に付勢されるようにすれば、ノズルを土壌から抜き出した際に、止め板が確実に下方に戻るので好適である。また、止め板のポンプへの連繋手段は、例えば、上記伸縮手段よりも下方位置の支軸部に固定された連結片を上記ポンプに連繋させる等するとよい。
【００１１】
上記支軸部には上記伸縮手段の伸縮距離を制限するストッパを設けている。
【００１２】
上記構成とすると、作業者がノズルを土壌に強く突き刺した場合でも、止め板の移動がストッパにより所定距離に制限されるので、上記ポンプから薬液が大量に吐出されるのを防止できる。また、ストッパを調整して上記伸縮手段の伸縮距離を調節することで、吐出量を所望の値に設定することも可能となる。
【００１３】
具体的には、上記支軸部は、管状の第１支軸部に対して第２支軸部の上側を下方からスライド自在に内嵌しており、
上記ストッパは、上記第２支軸部にスライド自在に外嵌した環状片を調節ネジで位置決め固定し、第２支軸部が第１支軸部内部の上方へスライド収容されながら収縮する際に、上記環状片の上端縁が上記第１支軸部の下端縁に当接して収縮停止する構成としている。
【００１４】
上記構成とすると、ノズルを土壌中に突き刺して止め板が上方へ押し上げられることにより第２支軸部が第１支軸部内へとスライド収容されることで、上記支軸部の収縮動作を行うことができると共に、上記環状片と第１支軸部とを干渉させる構造により簡単にストッパの役目を形成することができる。
【００１５】
上記第２支軸部は位置決め穴が穿設されていると共に、上記環状片には軸線方向に位置をずらせた複数のネジ穴が穿設されており、上記複数のネジ穴のうちから上記位置決め穴と合致させて調節ネジを貫通固定するネジ穴を選択変更することで、上記ノズルの吐出口より吐出される薬液量を微調整可能としていると好ましい。
【００１６】
上記構成とすると、上記環状片の複数のネジ穴から調節ネジを取り付けるネジ穴を選択変更することにより、環状片の上端縁と第１支軸部の下端縁との距離、即ち、支軸部の伸縮距離を微調整することができ、連動するポンプの薬液吐出量を微調整することができる。したがって、製造誤差による各製品間の吐出量の微小な相違を修正して精度向上を図ることが可能となる。
【００１７】
また、上記支軸部は、第１支軸部と、該第１支軸部に対してスライド自在に取り付けられた第２支軸部とを備え、
上記ストッパは、上記第２支軸部から側方に突出して固定された停止片と、上記第１支軸部から側方に突出したネジ取付部に螺着されたストッパ用ネジとを備え、
上記ストッパ用ネジは先端を上記停止片に向けて空隙をあけた状態で取り付けられ、上記第１支軸部と上記第２支軸部とが相対的にスライドして収縮する際に、上記ストッパ用ネジの先端が上記停止片に当接して収縮停止する構成としても好ましい。
【００１８】
上記構成とすると、ストッパ用ネジと停止片との離反距離を変えることで支軸部の収縮距離を連続的に調整することができるので、上記ポンプの吐出量も連続的に調節することができ、上記ノズルの吐出口より吐出される薬液量を精度良く微調整することが可能となる。
【００１９】
上記ノズルは上記止め板と一体としている。
【００２０】
このようにノズルを止め板と一体化させることで、止め板からノズルの吐出口までの距離が常に一定となり、作業者は特別に意識せずともノズルの土壌への挿入深さが一定とされ、土壌内での薬液の吐出深さを一定に保つことができる。
【００２１】
あるいは、上記ノズルは上記止め板と別体とし、上記ノズルは上記伸縮手段より上方位置の支軸部に連繋固定されて、上記止め板の動きに上記ノズルが追従しない構成としている。
【００２２】
上記構成とすると、ノズルを土壌に突き刺す際に、土壌が硬く抵抗が生じてノズルが押し返されたとしても、ノズルと別体の止め板には負荷が掛からず伸縮手段は伸縮しないので、ポンプが誤作動するのを防止することができる。
そして、ノズルを土壌に突き刺すことができると、止め板が土壌表面に当接して押し返されることで、止め板は伸縮手段により上方に移動してポンプを作動させる一方、ノズルは止め板に追従することなくそのまま土中に進入して薬液を吐出することができる。
【発明の効果】
【００２３】
以上の説明より明らかなように、本発明によれば、作業者は上記ノズルを土壌へ突き刺して止め板を土壌表面に押圧するだけで、伸縮手段の収縮により止め板が上方へ移動してポンプが作動され、自動的にノズルから薬液を吐出することができる。
したがって、レバー操作等の特別な操作を不要となり作業者に掛かる負担を飛躍的に軽減することが可能となる。
【発明を実施するための最良の形態】
【００２４】
本発明の第１実施形態を図面を参照して説明する。
図１はマルチフィルム栽培用の薬液注入機２０を示し、略Ｌ字状の上端に把持部４０を有する大径管状の第１支軸部２１の下端に、小径管状の第２支軸部２２の上端側をスライド自在に内嵌して伸縮手段２３とし、第２支軸部２２の下端に止め板２４を固定している。また、止め板２４の下面より先細形状で吐出口２５ａを有するノズル２５を下方に突出した状態で固定し、ノズル２５と止め板２４とを一体化している。
【００２５】
第１支軸部２１には水平片２６が固定されていると共に水平片２６の端部には下方に連続して垂直片２７が設けられており、水平片２６にはダイヤフラム式ポンプ３０が固定されている。図２に示すように、垂直片２７の下端の軸受部２７ａには回転自在に回転軸２８を内嵌していると共に、回転軸２８に一端を固定された連結片２９の他端を第２支軸部２２に固定部３９により固定している。
【００２６】
ダイヤフラム式ポンプ３０は、上ハウジング４１と下ハウジング４２とで膜状のダイヤフラム４３を挟持してネジ４４留め固定し、ダイヤフラム４３には下方に突出する可動軸３４を連結して下ハウジング４２の管状の突出部４２ａを貫通して延出させている。可動軸３４の下端は固定軸３５を介して連結片２９に固定していると共に、突出部４２ａの下端と固定軸３５との間の箇所の可動軸３４にはバネＢを外嵌配置しており、下ハウジング４２はナット５２で水平片２６に固定されている。
【００２７】
上ハウジング４１は上面より管状の吸引部４５と吐出部４６とを突出しており、吸引部４５の内部には上から球バルブ４８、スプリング４７の順番で内嵌配置されている一方、吐出部４６の内部では逆に上からスプリング５０、球バルブ４９の順番で内嵌配置されている。そして、上ハウジング４１とダイヤフラム４３とで形成される空間を薬液空間５１としている。
【００２８】
また、ダイヤフラム式ポンプ３０の吸引部４５には薬液を貯留した薬液容器３６に接続された吸引チューブ（薬液供給路）３７の端部を接続している一方、吐出部４６には吐出チューブ（薬液供給路）３８を接続すると共に吐出チューブ３８の端部をノズル２５の上端に接続して連通している。
【００２９】
図１および図２に示すように、第２支軸部２２の固定部３９より上方位置の外面には薬液の吐出量を示す目盛りＭが付されていると共にストッパ３３が取り付けられている。ストッパ３３は、貫通孔３１ａを有する環状片３１を第２支軸部２２に外嵌し、ツマミ部３２ａから軸部３２ｂを突出した調節ネジ３２の軸部３２ｂを貫通孔３１ａに貫通して締め付けることにより、環状片３１を所定の目盛りＭ位置に固定するようにしている。
【００３０】
次に、図３を用いて薬液注入機１０の動作原理について説明する。
薬液容器１２を収容したショルダーバック（図示せず）を作業者が肩に掛ける等した状態で把持部４０を手に持ち、マルチフィルムＦで覆われた土壌Ｄの上からノズル２５を任意の位置に差し込んで、止め板２４の底面をマルチフィルムＦ表面に当接させる。その状態から更に下方に押圧することで、止め板２４へ負荷される抗力が第２支軸部２２に伝達されて、伸縮手段２３により第２支軸部２２が第１支軸部２１内にスライド進入し、第２支軸部２２が第１支軸部２１に対して相対的に上方に押し上げられる。
【００３１】
この第２支軸部２２の相対変位に伴って、固定部３９で固定された連結片２９が回転軸２８を支点として上方に傾動し、固定軸３５を介して連結片２９に固定されたダイヤフラム式ポンプ３０の可動軸３４がバネＢに抗して上方に押し上げられる。これにより、ダイヤフラム４３が押し上げられて薬液空間５１が圧縮され、吐出部４６のバネ５０が収縮して球バルブ４９が開き、吐出チューブ３８へと薬液が移送され、ノズル２５の吐出口２５ａから薬液が土壌Ｄに吐出される。この時、ノズル２５を止め板２４と一体化させているので、止め板２４から吐出口２５ａまでの距離が常に一定となり、作業者は特別に意識しなくても土壌Ｄ内での薬液の吐出深さを一定に保つことができる。
【００３２】
第２支軸部２２が第１支軸部２１に対してある程度スライド上昇すると、ストッパ３３の環状片３１が第１支軸部２１の下端縁に当接して停止し、それ以上はスライドしないようになっており、ダイヤフラム式ポンプ３０から吐出される薬液の吐出量を一定にすることが可能となっている。
【００３３】
そして、作業者が把持部４０を持って薬液注入機１０を土壌Ｄから抜き出すと、自重およびバネＢの付勢力により、第２支軸部２２、止め板２４、ノズル２５、連結片２９および可動軸３４が下方向に復帰する。これにより、ダイヤフラム４３が押し下げられて薬液空間５１が拡がって負圧が発生し、ダイヤフラム式ポンプ３０の吸引部４５のバネ４７が収縮して球バルブ４８が開き、吸引チューブ３７を介して薬液容器３６から薬液空間５１に薬液が補給される。
【００３４】
つまり、作業者は薬液注入機１０の把持部４０を持ってノズル２５をマルチフィルムＦの上から土壌Ｄに差し込んで押圧するだけで、レバー操作等の特別な操作を行うことなく、土壌Ｄ内に所定量の薬液Ｙを自動的に注入することでき、薬液注入作業の作業性を飛躍的に向上させることができる。また、第２支軸部２２に固定された連結片２９は固定軸３５に固定されているだけでなく、傾動支点となる回転軸２８にも固定しているので、テコの原理により、可動軸３４に連結された固定軸３５を持ち上げるのに要する力が小さくて済む利点がある。
【００３５】
図４および図５は第２実施形態を示す。
第１実施形態との相違点は、ノズル６３を止め板６２と別体とし、止め板６２の動きにノズル６３ａが追従しないようにしている点である。
【００３６】
本実施形態の薬液注入機６０は、第１支軸部２１に固定された水平片６５に長尺のノズル６３を鉛直方向に固定すると共に、第２支軸部６１の下端に固定された止め板６２に挿通孔６２ａを穿設し、ノズル６３を挿通孔６２ａにスライド自在に貫通している。ノズル６３の先細形状の先端部６３ａには吐出口６３ｂを設けており、ノズル６３が挿通孔６２ａの内部をスライドすることで止め板６２と吐出口６３ａとの距離が相対変位可能としている。また、ノズル６３の上端部６３ｃにはダイヤフラム式ポンプ３０の吐出部４６に接続された吐出チューブ６４の端部を接続している。なお、他の構成は第１実施形態と同様であるため同一符号を付して説明を省略する。
【００３７】
次に、図５を用いて薬液注入機６０の動作原理について説明する。
作業者が把持部４０を手に持ち、マルチフィルムＦで覆われた土壌Ｄの上からノズル６３の先端部６３ａを任意の位置に差し込んで、止め板６２の底面をマルチフィルムＦ表面に当接させる。この状態から更に下方に押圧することで、止め板６２へ負荷される抗力が第２支軸部６１に伝達されて、伸縮手段３３により第２支軸部６１が第１支軸部２１内にスライド進入し、第２支軸部６１が第１支軸部２１に対して相対的に上方に押し上げられる。この時、ノズル６３は止め板６２の動きに追従することなくそのまま土中に進入していく。
【００３８】
次いで、第１実施形態と同様の原理で、上記第２支軸部６１の相対変位に伴って、固定部３９で固定された連結片２９が回転軸２８を支点として上方に傾動し、固定軸３５を介して連結片２９に固定されたダイヤフラム式ポンプ３０の可動軸３４がバネＢに抗して上方に押し上げられて、ダイヤフラム式ポンプ３０から吐出チューブ６４へと薬液が移送されてノズル６３の吐出口６３ｂから薬液が土壌Ｄに吐出される。そして、ストッパ３３の環状片３１が第１支軸部２１の下端縁に当接して停止し、伸縮手段２３の収縮距離が制限されて薬液の吐出量が一定となるようにしている。
【００３９】
また、土壌Ｄが硬い場合、ノズル６３の先端部６３ａをマルチフィルムＦが被覆された土壌Ｄに突き刺す際に抵抗が生じてノズル６３が押し返されることも考えられるが、本実施形態の薬液注入機６０では、ノズル６３と止め板６２が別体であるため、ノズル６３への負荷は止め板６２には伝達されず伸縮手段３３は伸縮しないので、ダイヤフラム式ポンプ３０が誤作動するのを防止することができるという長所がある。
【００４０】
図６は第３実施形態を示す。
第２実施形態との相違点は、第１支軸部７１の上端に略Ｔ字状の把持部７２を設けている点である。なお、他の構成は第２実施形態と同様であるため同一符号を付して説明を省略する。
本実施形態の薬液注入機７０によれば、土壌が硬くノズル６３を突き刺すのに力が必要な場合でも、作業者は把持部７２を両手で持って下方に力強く押し込むことができる。
なお、本実施形態のＴ字状の把持部７２は、本発明の全ての実施形態に適用可能であることは言うまでもない。
【００４１】
図７は第４実施形態を示す。
第１実施形態との相違点は、止め板２４よりも大径である大環状板７６をアタッチメントとして止め板２４に取り付け、止め板２４の面積を拡げている点である。
【００４２】
止め板２４には周方向に取付孔２４ａを複数穿設している。大環状板７６は中心に開口７６ａを設けていると共に、止め板２４の取付孔２４ａに対応する位置に取付孔７６ｂを複数穿設している。そして、ノズル２５を開口７６ａに挿通させた状態で大環状板７６を止め板２４の下面に重ね、連通した取付孔２４ａ、７６ｂにボルト７５を貫通して締結固定している。なお、他の構成は第１実施形態と同様であるため同一符号を付して説明を省略する。
【００４３】
上記構成とすると、ノズル２５を土壌に突き刺す際に、大環状板７６が土壌表面に当接して、止め板２４のみの場合に比べて接地面積が大きくなるので、土壌が柔らかい場合等における止め板２４の潜り込みを防止することができる。
なお、本実施形態の大環状板７６をアタッチメントとして使用する手段は、本発明の全ての実施形態に適用可能であることは言うまでもない。
【００４４】
図８および図９は第５実施形態を示す。
第２実施形態との相違点は、ダイヤフラム式ポンプの代わりにシリンダ式ポンプ８１を用いている点である。
【００４５】
本実施形態の薬液注入機８０は、第１支軸部２１に固定された水平片２６にシリンダ式ポンプ８１のシリンダ部８２の下端部８２ａが固定されている。
シリンダ式ポンプ８１は、図９に示すように、シリンダ部８２と分岐部８４とを備え、
分岐部８４の一側には薬液容器３６に接続された吸引チューブ（薬液供給路）３７の端部を接続している一方、他側には吐出チューブ（薬液供給路）９０を接続すると共に吐出チューブ９０の端部をノズル６３の上端部６３ｃに接続している。
【００４６】
分岐部８４内の流路８５の吸引チューブ３７側には上流側から球バルブ８６、スプリング８７の順に設けられている一方、吐出チューブ９０側には下流側からスプリング８９、球バルブ８８の順に設けられており、シリンダ部８２の内部にはピストン８３が内嵌されている。
【００４７】
ピストン８３は、シリンダ部８２の内面に摺接するヘッド部８３ａと、シリンダ部８２の管状の下端部８２ａから延出する軸部８３ｂとを備えている。軸部８３ｂの下端は固定軸３５を介して連結片２９に固定していると共に、下端部８２ａの下端と固定軸３５との間の軸部８３ｂにはバネＢが外嵌配置されている。
【００４８】
次に、薬液注入機８０の動作原理について説明する。
マルチフィルムＦで覆われた土壌Ｄの上からノズル６３の先端部６３ａを差し込んで、止め板６２の底面をマルチフィルムＦ表面に当接させて下方に押圧することで、止め板６２へ負荷される抗力が第２支軸部６１に伝達されて、伸縮手段３３により第２支軸部６１が第１支軸部２１内にスライド進入し、第２支軸部６１が第１支軸部２１に対して相対的に上方に押し上げられる。
【００４９】
これに伴って、連結片２９が回転軸２８を支点として上方に傾動し、固定軸３５を介して連結片２９に固定されたシリンダ式ポンプ８１の軸部８３ｂがバネＢに抗して上方に押し上げられて、ピストン８３のヘッド部８３ａがシリンダ部８２内を上昇する。これにより、シリンダ部８２内の薬液が圧縮されて、吐出チューブ９０側のバネ８９が収縮して球バルブ８８が開き、吐出チューブ９０へと薬液が移送され、ノズル６３の吐出口６３ｂから薬液が土壌Ｄに吐出される。
なお、他の構成は第２実施形態と同様であるため同一符号を付して説明を省略する。
【００５０】
図１０乃至図１２は第６実施形態を示す。
本実施形態の薬液注入機１００は、止め板６２からノズル１０７の先端部１０７ａまでの距離を可変としていると共に、ストッパとなる環状片１０２の固定位置を微調整可能としている。
【００５１】
上端に把持部４０を有する第１支軸部２１の下端にスライド自在に内嵌された第２支軸部１０１は、調節ネジ１０３を貫通させる位置決め穴１０１ａが所要の間隔で複数穿設されている。第２支軸部１０１には環状片１０２がスライド自在に外嵌されていると共に、図１１に示すように、環状片１０２には軸線方向に位置をずらせた複数のネジ穴１０２ａ〜１０２ｃが穿設されており、いずれかのネジ穴１０２ａ〜１０２ｃを位置決め穴１０１ａに合致させて調節ネジ１０３をネジ止めして固定している。即ち、調節ネジ１０３を環状片１０２を介していずれの位置決め穴１０１ａに固定するかによって吐出量を決定している。
【００５２】
第２支軸部１０１の下方には、円管状の第３支軸部１０４がスライド自在に外嵌されており、第３支軸部１０４の下端に円盤状の止め板６２が固定されている。
第３支軸部１０４は、所要間隔で複数の位置決め用のネジ穴１０４ａ〜１０４ｃが穿設されており、内部に挿通された第２支軸部１０１の下端側には対応する位置決め穴（図示せず）が穿設されている。
出荷状態では、第３支軸部１０４の最下のネジ穴１０４ａを第２支軸部１０１の上記位置決め穴（図示せず）に合致させて調節ネジ１０５で固定しており、止め板６２とノズル先端部１０７ａとの間の距離Ｌ１としている。
【００５３】
第１支軸部２１に固定された水平片６５からは下方に垂直棒１０６を垂設していると共に、垂直棒１０６の下端より突出して長尺のノズル１０７を固定している。ノズル１０７は止め板６２の挿通孔６２ａにスライド自在に貫通しており、先細形状の先端部１０７ａには吐出口１０７ｂを設けている。
【００５４】
上記薬液注入機１００は、出荷前の検査時において、止め板６２を上方に動作させてダイヤフラム式ポンプ３０による吐出口１０７ｂからの薬液の吐出量を計測し、環状片１０２の複数のネジ穴１０２ａ〜１０２ｃから調節ネジ１０３を取り付けるネジ穴を選択することにより、製造誤差による製品間の吐出量の相違を微調整する。
即ち、図１１の（Ａ）に示すように、環状片１０２の軸線方向の中央のネジ穴１０２ｂを第２支軸部１０１の位置決め穴１０１ａに合致させて調節ネジ１０３をネジ止め固定する場合に比べて、（Ｂ）に示すように、上側のネジ穴１０２ａを位置決め穴１０１ａに合致させて調節ネジ１０３でネジ止めした場合の方が、第１支軸部２１の下端と環状片１０２の上端との距離が長くなることを利用して、薬液の吐出量の製品誤差を微調整している。
【００５５】
また、出荷後においてユーザが止め板６２とノズル先端部１０７ａとの間の距離を調節したい場合には、図１２（Ａ）（Ｂ）に示すように、第３支軸部１０４の中央のネジ穴１０４ｂあるいは最上のネジ穴１０４ｃを第２支軸部１０１の図示しない位置決め穴に合致させて調節ネジ１０５でネジ止め固定することで、止め板６２とノズル先端部１０７ａとの間の距離をＬ２あるいはＬ３に調節することができる。（Ｌ１＞Ｌ２＞Ｌ３）
なお、他の構成は第２実施形態と同様であるため同一符号を付して説明を省略する。
【００５６】
図１３および図１４は第７実施形態を示す。
本実施形態の薬液注入機１１０は、ストッパとしてストッパ用ネジ１１４と停止片１１３ａとを用いることで、ダイヤフラム式ポンプ３０の吐出量を連続的に微調整可能としている。
【００５７】
管状の第１支軸部１１１には複数の把持部取付孔１１１ａ〜１１１ｃが間隔をあけて穿設されており、別体からなる把持部材１１７の軸部（図示せず）が最適な位置の把持部取付孔１１１ａに貫通されてナット１１８で締結固定されている。第１支軸部１１１の下方に固定された水平片１１２は、側方に突出したネジ取付部１１２ａを設けていると共に、ネジ取付部１１２ａの近傍の側面から下方に突出したシール貼付部１１２ｂを設けている。ネジ取付部１１２ａのネジ穴（図示せず）にはストッパ用ネジ１１４が下方に向けて螺着されている。ストッパ用ネジ１１４は、外周面にネジ山が刻設された軸部１１４ｂが大径の頭部１１４ａから突出されており、軸部１１４ｂの先端には軸部１１４ｂよりも大径の当接部１１４ｃが固定されている。また、ネジ取付部１１２ａの上面位置ではズレ止め用ナット１１５がストッパ用ネジ１１４に外嵌螺着されている。
【００５８】
第１支軸部１１１の下端には第２支軸部１１３がスライド自在に内嵌され、第２支軸部１１３の所要位置には水平方向の側方に突出した状態で停止片１１３ａが溶接固定されており、停止片１１３ａとストッパ用ネジ１１４の当接部１１４ｃとの間には空隙が設けられている。また、シール貼付部１１２ｂには、ダイヤフラム式ポンプ３０から１回に吐出されてノズル１１９の先端部１１９ａの吐出口１１９ｂから土壌に注入される薬液量を表示する目盛りシール１１６が貼り付けられている。なお、他の構成は上述した他の実施形態と同様であるため同一符号を付して説明を省略する。
【００５９】
次に、薬液注入機１１０の動作原理について説明する。
作業者が把持部１１７を手に持ち、マルチフィルムで覆われた土壌にノズル１１９を差し込んで、止め板６２の底面をマルチフィルム表面に当接させた状態から更に下方に押圧すると、第２支軸部１１３が第１支軸部１１１内にスライド進入され、第２支軸部１１３が第１支軸部１１に対して相対的に上方に押し上げられる。
【００６０】
この第２支軸部１１３の相対変位に伴って、ダイヤフラム式ポンプ３０が動作してノズル１１９の吐出口１１９ｂから薬液が土壌Ｄに注入され、第２支軸部１１３が第１支軸部１１に対してある程度スライド上昇すると、ストッパ用ネジ１１４の下端の当接部１１４ｃが停止片１１３ａの上面に当接して停止し、それ以上はスライド収縮しないようになる。したがって、ダイヤフラム式ポンプ３０から吐出される薬液の吐出量を一定にすることが可能となる。また、ストッパ用ネジ１１４は停止片１１３ａとの離反距離を連続的に調節することができるので、ポンプ３０の吐出量も連続的に調節することができ、薬液の吐出量を精度良く微調整することが可能となる。
なお、上記薬液注入機１１０では、出荷前の検査時において、止め板６２を上方に動作させてダイヤフラム式ポンプ３０による吐出口１１９ｂからの薬液の吐出量を計測し、目盛りシール１１６のシール貼付部１１２ｂへの貼り付け位置を調整することで、製造誤差による製品間の吐出量の相違を微調整可能としている。
【図面の簡単な説明】
【００６１】
【図１】本発明の第１実施形態の薬液注入機の側面図である。
【図２】ダイヤフラム式ポンプ近傍の断面図である。
【図３】薬液吐出時における薬液注入機の側面図である。
【図４】第２実施形態の薬液注入機の側面図である。
【図５】薬液吐出時における薬液注入機の側面図である。
【図６】第３実施形態の薬液注入機の側面図である。
【図７】第４実施形態の要部斜視図である。
【図８】第５実施形態の薬液注入機の側面図である。
【図９】シリンダ式ポンプ近傍の断面図である。
【図１０】第６実施形態の薬液注入機の斜視図である。
【図１１】環状片の固定位置の微調整を説明する図面である。
【図１２】（Ａ）（Ｂ）は止め板の位置調整を説明する要部斜視図である。
【図１３】第７実施形態の薬液注入機の斜視図である。
【図１４】第７実施形態の薬液注入機の要部拡大図である。
【図１５】従来例の薬液注入機の断面図である。
【図１６】別の従来例の土壌消毒機の側面図である。
【符号の説明】
【００６２】
２０    薬液注入機
２１    第１支軸部
２２    第２支軸部
２３    伸縮手段
２４    止め板
２５    ノズル
２５ａ    吐出口
２９    連結片
３０    ダイヤフラム式ポンプ
３１、１０２  環状片
３２、１０３  調節ネジ
３３    ストッパ
３４    可動軸
３６    薬液容器
３７    吸引チューブ（薬液供給路）
３８    吐出チューブ（薬液供給路）
７６    大環状板
８１    シリンダ式ポンプ
１０１ａ  位置決め穴
１０２ａ〜ｃ  ネジ穴
Ｂ    バネ
Ｄ    土壌
Ｆ    マルチフィルム
Ｍ    目盛り
Ｙ    薬液
【図１】
2005218443.tif 000003
【図２】
2005218443.tif 000004
【図３】
2005218443.tif 000005
【図４】
2005218443.tif 000006
【図５】
2005218443.tif 000007
【図６】
2005218443.tif 000008
【図７】
2005218443.tif 000009
【図８】
2005218443.tif 000010
【図９】
2005218443.tif 000011
【図１０】
2005218443.tif 000012
【図１１】
2005218443.tif 000013
【図１２】
2005218443.tif 000014
【図１３】
2005218443.tif 000015
【図１４】
2005218443.tif 000016
【図１５】
2005218443.tif 000017
【図１６】
2005218443.tif 000018